(57)【要約】【課題】容易に小型化を図ることができるようにする。【解決手段】非常用照明器具Ｘ１は、常用電源から給電されて点灯する第１光源ユニット１と、電池ユニットから給電されて点灯する２つの第２光源ユニット２と、第１光源ユニット１及び第２光源ユニット２を支持する器具本体３とを備える。器具本体３は、踊り場Ｆ１の壁Ｗ１又は天井に取り付けられる。第２光源ユニット２は、ＬＥＤと、導光体２１とを有する。導光体２１は、ＬＥＤから放射される光が入射する入射面を有し、入射面から入射する光を入射面から離れる向きに導光するように構成されている。導光体２１は、更に、入射面から離れる向きに導光する光の一部を導光体２１の外に出射させるように構成されている。器具本体３は、第１光源ユニット１と第２光源ユニット２を器具本体３の長手方向に沿って並べた状態で支持している。【選択図】        図２
2019153396.tif 000002
【特許請求の範囲】
【請求項１】
階段及び踊り場を含む避難通路を照明する非常用照明器具であって、
常用電源から給電されて点灯する第１光源ユニットと、
非常用電源から給電されて点灯する１つ以上の第２光源ユニットと、
前記第１光源ユニット及び前記第２光源ユニットを支持して前記踊り場の壁又は天井に取り付けられる器具本体と
を備え、
前記第２光源ユニットは、
固体発光素子と、
導光体と
を有し、
前記導光体は、前記固体発光素子から放射される光が入射する入射面を有し、前記入射面から入射する光を前記入射面から離れる向きに導光し、かつ、前記入射面から離れる向きに導光する光の一部を前記導光体の外に出射させるように構成され、
前記器具本体は、前記第１光源ユニットと前記第２光源ユニットを前記器具本体の長手方向に沿って並べた状態で支持している、
非常用照明器具。
【請求項２】
前記第１光源ユニットは長尺に形成されており、
前記第２光源ユニットは、前記第１光源ユニットの長手方向に沿って前記第１光源ユニットと隣り合うように配置されている、
請求項１記載の非常用照明器具。
【請求項３】
前記導光体は長尺の柱状に形成されており、
前記導光体の長手方向の端面に前記固体発光素子から放射される光が入射する前記入射面が設けられ、
前記第２光源ユニットは、前記導光体の長手方向を前記第１光源ユニットの短手方向と平行させるように前記器具本体に支持されている、
請求項２記載の非常用照明器具。
【請求項４】
前記導光体は、前記器具本体が取り付けられる壁から離れる向きに突き出すように湾曲した形状に形成されている、
請求項３記載の非常用照明器具。
【請求項５】
前記導光体は、前記踊り場に近付くにつれ、前記器具本体が取り付けられる壁に近付くように配置されている、
請求項３記載の非常用照明器具。
【請求項６】
前記導光体は、前記踊り場に近付くにつれ、前記器具本体が取り付けられる壁から離れるように配置されている、
請求項３記載の非常用照明器具。
【請求項７】
前記第２光源ユニットは、前記固体発光素子及び前記導光体を収容する筐体を有し、
前記導光体は、前記導光体の長手方向の第１端面に前記固体発光素子から放射される光が入射する前記入射面を有し、かつ、前記導光体の長手方向の前記第１端面と反対側の第２端面から光を出射するように構成され、
前記筐体の前面に、前記導光体が収められる凹所が設けられ、
前記凹所の前記第２端面と対向する側壁に、前記筐体の前面に向かって下向きに傾斜する傾斜面が形成されている、
請求項３記載の非常用照明器具。
【請求項８】
前記導光体は、
柱状の導光部と、
板状の導光板と
を有し、
前記導光部は、前記導光部の長手方向の一端から入射する光を導光し、かつ、前記長手方向に沿った側面から前記光を出射させるように構成され、
前記導光板は、前記導光板の厚み方向と交差する方向の端面を前記導光部の前記側面と対向させるように配置され、
前記導光板は、更に、前記端面から入射する光を導光し、かつ、前記厚み方向に対向する一方の面から前記光を出射させるように構成されている、
請求項１〜７のいずれか１項に記載の非常用照明器具。
【請求項９】
請求項１〜８のいずれか１項の非常用照明器具が備える光源ユニットであって、
固体発光素子と、
導光体と
を有し、
前記導光体は、前記固体発光素子から放射される光が入射する入射面を有し、前記入射面から入射する光を前記入射面から離れる向きに導光し、かつ、前記入射面から離れる向きに導光する光の一部を前記導光体の外に出射させるように構成されている、
光源ユニット。
【発明の詳細な説明】
【技術分野】
【０００１】
本発明は、非常用照明器具及び光源ユニットに関し、より詳細には、踊り場の壁や天井などに設置される非常用照明器具、及び当該非常用照明器具が備える光源ユニットに関する。
【背景技術】
【０００２】
従来例として特許文献１記載の非常用照明器具を例示する。特許文献１記載の非常用照明器具（以下、従来例と呼ぶ。）は、常用光源ユニットと、２つの非常用光源ユニットと、器具本体と、非常用電源ユニットと、電池ユニットとを備える。器具本体は、長尺の矩形平板状に形成される背板と、長尺の矩形平板状であり、かつ、背板よりも短い上板及び下板とを有する。２つの非常用光源ユニットは、ＬＥＤ（Light Emitting Diode）と、ＬＥＤから放射される光の配光を制御するレンズと、ＬＥＤを保持するホルダとを備える。非常用光源ユニットは、器具本体の長手方向の両端に一つずつ取り付けられる。
【先行技術文献】
【特許文献】
【０００３】
【特許文献１】特開２０１７−５０２５７号公報
【発明の概要】
【発明が解決しようとする課題】
【０００４】
ところで、上記従来例のような非常用照明器具に対して小型化の要望がある。しかしながら、上記従来例では、レンズを小型化することが困難であるため、非常用照明器具全体の小型化を図ることも難しい。
【０００５】
本発明の目的は、容易に小型化を図ることができる非常用照明器及び光源ユニットを提供することにある。
【課題を解決するための手段】
【０００６】
本発明の一態様に係る非常用照明器具は、階段及び踊り場を含む避難通路を照明する。前記非常用照明器具は、常用電源から給電されて点灯する第１光源ユニットと、非常用電源から給電されて点灯する１つ以上の第２光源ユニットとを備える。前記非常用照明器具は、前記第１光源ユニット及び前記第２光源ユニットを支持して前記踊り場の壁又は天井に取り付けられる器具本体を備える。前記第２光源ユニットは、固体発光素子と、導光体とを有している。前記導光体は、前記固体発光素子から放射される光が入射する入射面を有し、前記入射面から入射する光を前記入射面から離れる向きに導光し、かつ、前記入射面から離れる向きに導光する光の一部を前記導光体の外に出射させるように構成されている。前記器具本体は、前記第１光源ユニットと前記第２光源ユニットを前記器具本体の長手方向に沿って並べた状態で支持している。
【０００７】
本発明の一態様に係る光源ユニットは、前記非常用照明器具が備える光源ユニットである。前記光源ユニットは、固体発光素子と、導光体とを有している。前記導光体は、前記固体発光素子から放射される光が入射する入射面を有し、前記入射面から入射する光を前記入射面から離れる向きに導光し、かつ、前記入射面から離れる向きに導光する光の一部を前記導光体の外に出射させるように構成されている。
【発明の効果】
【０００８】
本発明の非常用照明器具及び光源ユニットは、容易に小型化を図ることができるという効果がある。
【図面の簡単な説明】
【０００９】
【図１】図１は、本発明の一実施形態に係る非常用照明器具の斜視図である。
【図２】図２は、同上の非常用照明器具が設置された階段及び踊り場の概略図である。
【図３】図３は、同上の非常用照明器具の分解斜視図である。
【図４】図４は、同上の非常用照明器具の側面断面図である。
【図５】図５は、同上の非常用照明器具における第２光源ユニットの側面断面図である。
【図６】図６Ａは、同上の第２光源ユニットの変形例１の要部側面図である。図６Ｂは、同上の第２光源ユニットの変形例２の要部側面図である。図６Ｃは、同上の第２光源ユニットの変形例３の要部側面図である。
【図７】図７は、同上の第２光源ユニットの変形例４の側面図である。
【図８】図８Ａは、同上の第２光源ユニットの変形例５の要部の正面図である。図８Ｂは、同上の変形例５の側面断面図である。
【発明を実施するための形態】
【００１０】
下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１１】
実施形態の非常用照明器具Ｘ１は、例えば、建物の避難経路となる階段Ｓ１、Ｓ２の踊り場Ｆ１の壁Ｗ１に設置される、いわゆる階段通路誘導灯である（図２参照）。ただし、以下の説明では、特に断りのない限り、図３に矢印で示す向きにおいて非常用照明器具Ｘ１の前後、上下、左右の各方向を規定する。すなわち、鉛直方向を非常用照明器具Ｘ１の上下方向とし、壁Ｗ１の法線方向を非常用照明器具Ｘ１の前後方向とし、壁Ｗ１に正対したときの左右方向を非常用照明器具Ｘ１の左右方向とする。ただし、非常用照明器具Ｘ１は、建物の階段室の天井（踊り場の下面）に設置されてもかまわない。
【００１２】
非常用照明器具Ｘ１は、図１、図３及び図４に示すように、常用電源（商用の電力系統）から給電されて点灯する第１光源ユニット１と、非常用電源（電池ユニット６）から給電されて点灯する、２つの第２光源ユニット２とを備える。また、非常用照明器具Ｘ１は、常用電源から給電されて第１光源ユニット１を点灯させる第１点灯装置１３と、電池ユニット６から給電されて第２光源ユニット２を点灯させる第２点灯装置４とを備える。非常用照明器具Ｘ１は、更に、第１光源ユニット１、第２光源ユニット２及び第２点灯装置４を支持して踊り場Ｆ１の壁Ｗ１に取り付けられる器具本体３を備える。
【００１３】
器具本体３は、長尺の矩形平板状に形成される背板３０と、背板３０の上端に取り付けられる上カバー３１と、背板３０の下端に取り付けられる下カバー３２とを有している（図３参照）。
【００１４】
上カバー３１は、長尺の矩形平板状に形成される上板３１０と、長尺の矩形平板状に形成されて上板３１０の前端から下向きに突き出る第１前板３１１とを有している（図３参照）。上カバー３１は、背板３０の上端から前方へ上板３１０を突き出させるようにして背板３０に取り付けられる。ただし、上板３１０と第１前板３１１とは、金属板が曲げ加工されることによって一体に形成されている。
【００１５】
下カバー３２は、長尺の矩形平板状に形成される下板３２０と、長尺の矩形平板状に形成されて下板３２０の前端から上向きに突き出る第２前板３２１とを有している（図３及び図４参照）。下カバー３２は、背板３０の下端から前方へ下板３２０を突き出させるようにして背板３０に取り付けられる。ただし、下板３２０と第２前板３２１とは、金属板が曲げ加工されることによって一体に形成されている。
【００１６】
背板３０には、踊り場の壁に埋設されているアンカーボルトが挿通可能な複数（図示例では４つ）の長孔３００が長手方向に沿って、間隔を空けて設けられている（図３参照）。また、背板３０の長手方向のほぼ中央には、常用電源からの給電用の給電線が挿通される、複数（図示例では２つ）の丸孔３０１が長手方向に並ぶように設けられている。さらに、背板３０の前面における丸孔３０１の近傍には、複数（図示例では３つ）の端子台３４が取り付けられている（図３参照）。これらの端子台３４には、丸孔３０１から引き込まれる給電線や、建物に設置されている自動火災報知設備から火災信号を受信するための信号線などが電気的に接続される。
【００１７】
電池ユニット６は、ニッケル水素電池などの２次電池を複数有し、これら複数の２次電池が合成樹脂成形体のケースに収容されて構成される。なお、電池ユニット６は、背板３０の前面における左端の部位に取り付けられる（図３参照）。
【００１８】
第２点灯装置４は、常用電源から給電される交流電力を直流電力に変換して電池ユニット６を充電する充電回路と、常用電源が停電したときに電池ユニット６から第２光源ユニット２に供給される直流電流を調整する点灯回路とを有する。さらに、第２点灯装置４は、後述する点検スイッチが押操作されたとき、充電回路を強制的に停止し、かつ、電池ユニット６から給電される直流電力で点灯回路に第２光源ユニット２を点灯させるように構成される。なお、第２点灯装置４は、図３に示すように、背板３０の前面における右端の部位に取り付けられる。
【００１９】
点検スイッチは、スイッチブロック５に設けられている。スイッチブロック５は、合成樹脂製の箱体５０を有している（図４参照）。箱体５０には、押ボタンスイッチからなる点検スイッチ、赤外線を媒体とするワイヤレス信号を受信する受光素子などが収容されている。そして、箱体５０の下面には、複数の孔が設けられ、これらの孔を通して点検スイッチの押ボタンの押操作や、受光素子によるワイヤレス信号の受信が可能となっている。なお、第２点灯装置４は、受光素子でワイヤレス信号を受信した場合も、点検スイッチが押操作されたときと同じく、充電回路を強制的に停止し、かつ、電池ユニット６から給電される直流電力で点灯回路に第２光源ユニット２を点灯させる。
【００２０】
第１光源ユニット１は、図３に示すように、２つのＬＥＤモジュール１０と、２つのＬＥＤモジュール１０が一列に並べて取り付けられる取付部材１１とを備える。また、第１光源ユニット１は、２つのＬＥＤモジュール１０を覆うようにして取付部材１１に取り付けられるカバー１２と、第１点灯装置１３とを備える。
【００２１】
ＬＥＤモジュール１０は、長尺の矩形板状に形成された実装基板１００を有する。実装基板１００は、その前面に複数のＬＥＤ１０１が左右方向（長手方向）に沿って１列に並ぶように実装されている。なお、２つのＬＥＤモジュール１０は、一対のコネクタ１０２によって電気的に接続されている。
【００２２】
取付部材１１は、板金に曲げ加工を施すことでＵ字状に形成される。取付部材１１は、長尺かつ矩形板状に形成された底板１１０と、底板１１０の上端及び下端からそれぞれ後方に突き出た一対の側板１１１とを有する。これら一対の側板１１１の後端には、図４に示すように、互いに離れる向き（外向き）に湾曲する引掛部１１２がそれぞれ全長にわたって設けられる。なお、上述した２つのＬＥＤモジュール１０は、例えば、取付部材１１の底板１１０の一部を切り起こすことで形成された爪により、取付部材１１に固定される。
【００２３】
また、取付部材１１は、長手方向における両端寄りの位置において、鉤形の先端を上側の引掛部１１２よりも上方に突き出させた一対の引掛金具（不図示）と、上側の側板１１１の下に配置される一対の引掛ばね１１４とを有している（図４参照）。なお、一対の引掛ばね１１４は、ねじりコイルばねで構成され、両端を後方に向けるように上側の側板１１１に取り付けられる（図４参照）。
【００２４】
第１点灯装置１３は、常用電源から供給される交流電力を直流電力に変換し、当該直流電力を２つのＬＥＤモジュール１０に供給して点灯させるように構成される。第１点灯装置１３は、取付部材１１の後面側において、例えば、ねじなどを用いて側板１１１に取り付けられる（図４参照）。
【００２５】
カバー１２は、光拡散性を有する材料（例えば乳白色のアクリル樹脂）により後面（取付部材１１側の面）が開口する長尺の矩形の箱状に形成されている（図３及び図４参照）。カバー１２の後面における上下両側の端部には、図４に示すように、後方へ突き出た突壁部１２０が長手方向の全長にわたってそれぞれ設けられている。これら一対の突壁部１２０の後端には、内向き（上側の突壁部１２０では下向き、下側の突壁部１２０では上向き）に突き出る突起部１２１がそれぞれ設けられている。カバー１２は、一対の突壁部１２０の突起部１２１が、取付部材１１の一対の側板１１１の引掛部１１２にそれぞれ引っ掛かることにより、取付部材１１の前面を覆うように取付部材１１に取り付けられる（図４参照）。
【００２６】
上述のように構成される第１光源ユニット１は、一対の引掛金具の鉤形の先端が器具本体３の背板３０に設けられる受け金具３０３に引っ掛けられる。さらに、第１光源ユニット１は、一対の引掛ばね１１４の両端が、器具本体３の背板３０に設けられている引掛板３０２の溝の縁に引っ掛けられることで器具本体３に取り付けられる（図４参照）。
【００２７】
２つの第２光源ユニット２は、器具本体３の長手方向の両端に各々一つずつ取り付けられている。すなわち、第２光源ユニット２は、第１光源ユニット１の長手方向に沿って第１光源ユニット１と隣り合うように配置されている。ただし、２つの第２光源ユニット２の構成は共通している。
【００２８】
第２光源ユニット２は、光源ユニットの実施形態に相当する。第２光源ユニット２は、図５に示すように、固体発光素子であるＬＥＤ２０と、導光体２１と、筐体２２とを有している。ＬＥＤ２０は、例えば、照明用白色ＬＥＤである。ただし、固体発光素子はＬＥＤに限定されず、例えば、有機エレクトロルミネッセンス素子などであってもかまわない。
【００２９】
導光体２１は、アクリル樹脂のような透光性を有する合成樹脂によって長尺の角柱状（図示例では角錐台形状）に形成されている。ただし、導光体２１は、ケイ酸塩ガラスや石英ガラスのような透光性を有する不燃材で形成されてもかまわない。
【００３０】
筐体２２は、図３及び図５に示すように、金属材料によって直方体形状の箱形に形成されている。筐体２２の前面（図５における左面）には、上下方向を長手方向とする長尺の凹所２２０が設けられている。ＬＥＤ２０と導光体２１は凹所２２０内に収容される。
【００３１】
ＬＥＤ２０は、凹所２２０の上側の側面に固定されている。ＬＥＤ２０は、凹所２２０の長手方向に沿って下向きに光を放射する（図５参照）。ＬＥＤ２０は、図示しない電線によって第２点灯装置４と電気的に接続され、第２点灯装置４から供給される直流電流によって発光（点灯）する。
【００３２】
導光体２１は、長手方向の両側の端面のうちで面積の大きい方の端面をＬＥＤ２０と対向させるように筐体２２の凹所２２０内に配置される。導光体２１は、ＬＥＤ２０と対向する端面（以下、入射面２１０と呼ぶ。）に、ＬＥＤ２０から放射される光が入射される。入射面２１０から導光体２１に入射した光は、入射面２１０から離れる向き（図５における下向き）に導光される。さらに、導光体２１内を進行する光の一部が導光体２１の側面から導光体２１の外に出射して筐体２２の外に放射される。
【００３３】
ここで、導光体２１内を進行する光は導光体２１の４つの側面から出射する。したがって、ＬＥＤ２０から放射される光のうちで導光体２１から筐体２２の外に放射される光の割合（光の取り出し効率）を高めるため、筐体２２の内周面に反射体が設けられることが好ましい。反射体は、例えば、金属めっきや白色の塗料などで形成される。このように筐体２２の内周面に反射体が形成されることにより、導光体２１の側面（後面、左右両側面）から導光体２１の外に出射する光を反射体に反射させて第２光源ユニット２の光の取り出し効率の向上を図ることができる。なお、導光体２１の４つの側面（前面、後面及び左右両側面）のうちで凹所２２０の開口面を通して筐体２２の前面に露出する側面（前面）を出射面２１１と呼ぶことにする（図５参照）。
【００３４】
凹所２２０の開口面（前面）は、透光性を有するカバーによって閉じられていてもよい。カバーは、ケイ酸塩ガラスや石英ガラスのような透光性を有する不燃材によって長尺の矩形平板状に形成されることが好ましい。カバーは、接着又はねじ止めなどの適宜の方法で筐体２２に固定されることが好ましい。
【００３５】
第２光源ユニット２の筐体２２は、ねじ止めなどの適宜の方法により、器具本体３の長手方向（左右方向）の両端に１つずつ取り付けられる。なお、筐体２２の上下方向の長さ及び前後方向の長さは、器具本体３の上下方向の長さ及び前後方向の長さとほぼ同じ長さである。
【００３６】
非常用照明器具Ｘ１は、例えば、図２に示すように、踊り場Ｆ１の壁Ｗ１における水平方向のほぼ中央に設置される。すなわち、器具本体３の左端に取り付けられた第２光源ユニット２が下りの階段Ｓ２と対向し、器具本体３の右端に取り付けられた第２光源ユニット２が上りの階段Ｓ１と対向する。なお、壁Ｗ１における非常用照明器具Ｘ１の下方位置に、階数を表示するための表示プレートＰ１が取り付けられている。ただし、表示プレートＰ１は、非常用照明器具Ｘ１の左方の壁又は右方の壁の少なくともいずれか一方の壁に取り付けられてもよい。表示プレートＰ１は、２つの第２光源ユニット２のうちの少なくとも一方の第２光源ユニット２から照射される光で照明される。
【００３７】
ここで、実施形態の非常用照明器具Ｘ１における第２光源ユニット２は、柱状の導光体２１によってＬＥＤ２０から放射される光の配光を制御している。柱状の導光体２１は、特許文献１記載の従来例に用いられているレンズ（平凸レンズ）に比べて、少なくとも幅方向（器具本体３の長手方向）に沿った幅寸法を容易に小さくすることができる。つまり、レンズの光学特性を可能な限り変更せずにレンズの幅寸法を小さくすることに比べて、導光体の光学特性を可能な限り変更せずに導光体の幅寸法を小さくすることは容易である。
【００３８】
したがって、実施形態の非常用照明器具Ｘ１は、特許文献１記載の従来例に比べて、容易に小型化を図ることができる。特に、実施形態の非常用照明器具Ｘ１は、第１光源ユニット１の長手方向に沿って第１光源ユニット１と隣り合うように第２光源ユニット２が配置されているため、より容易に小型化を図ることができる。さらに、実施形態の非常用照明器具Ｘ１では、第２光源ユニット２が、導光体２１の長手方向を第１光源ユニット１の短手方向（上下方向）と平行させるように器具本体３に支持されている。そのため、実施形態の非常用照明器具Ｘ１は、第２光源ユニット２が導光体２１の長手方向を第１光源ユニット１の長手方向と平行させるように器具本体３に支持される場合と比較して、より容易に小型化を図ることができる。
【００３９】
次に、非常用照明器具Ｘ１の幾つかの変形例を例示する。ただし、以下に例示する変形例１〜５の非常用照明器具Ｘ１は、第２光源ユニット２以外の構成が共通しているので、各変形例１〜５における第２光源ユニット２についてのみ、その構成を図示して説明する。
【００４０】
まず、変形例１の非常用照明器具Ｘ１における第２光源ユニット２では、導光体２１が、器具本体３が取り付けられる壁から離れる向きに突き出すように湾曲した形状に形成されている（図６Ａ参照）。言い換えると、導光体２１の下部が壁に近付く向きに湾曲している。なお、図６Ａにおいては、導光体２１の左側が踊り場側となり、導光体２１の右側が壁側となる。変形例１の非常用照明器具Ｘ１における第２光源ユニット２は、壁から離れる向きに突き出すように導光体２１を湾曲させることにより、器具本体３の下方に照射される光量を増やすことができる。したがって、変形例１の非常用照明器具Ｘ１は、踊り場の照度の向上を図ることができる。
【００４１】
変形例２の非常用照明器具Ｘ１における第２光源ユニット２では、導光体２１が、踊り場に近付くにつれて器具本体３が取り付けられる壁に近付くように配置されている（図６Ｂ参照）。言い換えると、導光体２１は、上から下に向かって壁に近付くように傾斜している。なお、図６Ｂにおいては、導光体２１の左側が踊り場側となり、導光体２１の右側が壁側となる。変形例２の非常用照明器具Ｘ１における第２光源ユニット２は、踊り場に近付くにつれて器具本体３が取り付けられる壁に近付くように導光体２１を配置することにより、器具本体３の下方に照射される光量を増やすことができる。したがって、変形例２の非常用照明器具Ｘ１は、踊り場の照度の向上を図ることができる。
【００４２】
変形例３の非常用照明器具Ｘ１における第２光源ユニット２では、導光体２１が、踊り場に近付くにつれて器具本体３が取り付けられる壁から離れるように配置されている（図６Ｃ参照）。言い換えると、導光体２１は、上から下に向かって壁から離れるように傾斜している。なお、図６Ｃにおいては、導光体２１の左側が踊り場側となり、導光体２１の右側が壁側となる。変形例３における第２光源ユニット２は、踊り場に近付くにつれて器具本体３が取り付けられる壁から離れるように導光体２１を配置することにより、器具本体３の上方に照射される光量を増やすことができる。したがって、変形例３の非常用照明器具Ｘ１は、階段（特に上りの階段）の照度の向上を図ることができる。
【００４３】
変形例４の非常用照明器具Ｘ１における第２光源ユニット２では、導光体２１が、導光体２１の下端面（第２端面２１２）から光を出射するように構成されている。また、凹所２２０の第２端面２１２と対向する側壁２２１に、筐体２２の前面に向かって下向きに傾斜する傾斜面が形成されている（図７参照）。変形例４の非常用照明器具Ｘ１における第２光源ユニット２は、導光体２１の第２端面２１２から出射する光を凹所２２０の下側の側壁２２１に反射させることにより、器具本体３の前方に照射される光量を増やすことができる。したがって、変形例４の非常用照明器具Ｘ１は、踊り場の照度の向上を図ることができる。
【００４４】
変形例５の非常用照明器具Ｘ１における第２光源ユニット２では、導光体２１が柱状の導光部２３と、板状の導光板２４とを有している（図８Ａ及び図８Ｂ参照）。導光部２３は、アクリル樹脂のような透光性を有する樹脂材料によって直方体状に形成されている。導光部２３は、長手方向の一方の端面を入射面２３０とし、長手方向に沿った一つの側面を出射面２３１としている。なお、導光部２３の入射面２３０と出射面２３１を除いた複数の面に反射体が形成されている。反射体は、例えば、金属めっきや白色の塗料などで形成されている。
【００４５】
導光板２４は、アクリル樹脂のような透光性を有する樹脂材料によって矩形の平板状に形成されている。導光板２４は、導光板２４の厚み方向と交差する方向（長手方向）の端面（上面）を入射面２４０とし、導光板２４の厚み方向に対向する２つの面のうちの一方の面（前面）を出射面２４１としている。ただし、導光板２４の入射面２４０と出射面２４１を除いた複数の面に反射体が形成されている。反射体は、例えば、白色系の塗料で形成されている。
【００４６】
変形例５の非常用照明器具Ｘ１における第２光源ユニット２では、ＬＥＤ２０から放射されて導光部２３の入射面２３０に入射した光は、導光部２３内を導光されて導光部２３の出射面２３１から出射される。さらに、導光部２３の出射面２３１から出射した光は、導光板２４の入射面２４０から導光板２４内に入射し、導光板２４内を導光されて導光板２４の出射面２４１から前方へ出射される。つまり、変形例５の非常用照明器具Ｘ１における第２光源ユニット２は、導光体２１の出射面（導光板２４の出射面２４１）の面積を拡大することによって輝度を低下させている。したがって、変形例５の非常用照明器具Ｘ１は、実施形態及び変形例1〜４に比べて、第２光源ユニット２の発光面（導光板２４の出射面２４１）のまぶしさ（グレア）の抑制を図ることができる。
【００４７】
なお、上述した実施形態及び変形例１〜５の非常用照明器具Ｘ１においては、第１光源ユニット１（器具本体３）の長手方向の両端にそれぞれ第２光源ユニット２が一つずつ配置されているが、第２光源ユニット２は１つであってもかまわない。
【００４８】
上述のように本発明の第１の態様に係る非常用照明器具（Ｘ１）は、階段（Ｓ１、Ｓ２）及び踊り場（Ｆ１）を含む避難通路を照明する。第１の態様に係る非常用照明器具（Ｘ１）は、常用電源から給電されて点灯する第１光源ユニット（１）と、非常用電源（電池ユニット６）から給電されて点灯する１つ以上の第２光源ユニット（２）とを備える。第１の態様に係る非常用照明器具（Ｘ１）は、第１光源ユニット（１）及び第２光源ユニット（２）を支持して踊り場（Ｆ１）の壁（Ｗ１）又は天井に取り付けられる器具本体（３）を備える。第２光源ユニット（２）は、固体発光素子（ＬＥＤ２０）と、導光体（２１）とを有している。導光体（２１）は、固体発光素子（ＬＥＤ２０）から放射される光が入射する入射面（２１０）を有し、入射面（２１０）から入射する光を入射面（２１０）から離れる向きに導光するように構成されている。導光体（２１）は、更に、入射面（２１０）から離れる向きに導光する光の一部を導光体（２１）の外に出射させるように構成されている。器具本体（３）は、第１光源ユニット（１）と第２光源ユニット（２）を器具本体（３）の長手方向に沿って並べた状態で支持している。
【００４９】
第１の態様に係る非常用照明器具（Ｘ１）では、第２光源ユニット（２）が柱状の導光体（２１）によって固体発光素子（ＬＥＤ２０）から放射される光の配光を制御しているので、特許文献１記載の従来例に比べて、容易に小型化を図ることができる。
【００５０】
本発明の第２の態様に係る非常用照明器具（Ｘ１）は、第１の態様との組合せにより実現され得る。第２の態様に係る非常用照明器具（Ｘ１）において、第１光源ユニット（１）は長尺に形成されていることが好ましい。第２光源ユニット（２）は、第１光源ユニット（１）の長手方向に沿って第１光源ユニット（１）と隣り合うように配置されていることが好ましい。
【００５１】
第２の態様に係る非常用照明器具（Ｘ１）は、第１光源ユニット（１）の長手方向に沿って第１光源ユニット（１）と隣り合うように第２光源ユニット（２）が配置されているため、より容易に小型化を図ることができる。
【００５２】
本発明の第３の態様に係る非常用照明器具（Ｘ１）は、第２の態様との組合せにより実現され得る。第３の態様に係る非常用照明器具（Ｘ１）において、導光体（２１）は長尺の柱状に形成されていることが好ましい。導光体（２１）の長手方向の端面に固体発光素子（ＬＥＤ２０）から放射される光が入射する入射面（２１０）が設けられることが好ましい。第２光源ユニット（２）は、導光体（２１）の長手方向を第１光源ユニット（１）の短手方向と平行させるように器具本体（３）に支持されていることが好ましい。
【００５３】
第３の態様に係る非常用照明器具（Ｘ１）は、第２光源ユニット（２）が導光体（２１）の長手方向を第１光源ユニット（１）の長手方向と平行させるように器具本体（３）に支持される場合と比較して、より容易に小型化を図ることができる。
【００５４】
本発明の第４の態様に係る非常用照明器具（Ｘ１）は、第３の態様との組合せにより実現され得る。第４の態様に係る非常用照明器具（Ｘ１）において、導光体（２１）は、器具本体（３）が取り付けられる壁（Ｗ１）から離れる向きに突き出すように湾曲した形状に形成されていることが好ましい。
【００５５】
第４の態様に係る非常用照明器具（Ｘ１）は、壁から離れる向きに突き出すように導光体（２１）を湾曲させることにより、踊り場の照度の向上を図ることができる。
【００５６】
本発明の第５の態様に係る非常用照明器具（Ｘ１）は、第３の態様との組合せにより実現され得る。第５の態様に係る非常用照明器具（Ｘ１）において、導光体（２１）は、踊り場（Ｆ１）に近付くにつれ、器具本体（３）が取り付けられる壁（Ｗ１）に近付くように配置されていることが好ましい。
【００５７】
第５の態様に係る非常用照明器具（Ｘ１）は、踊り場に近付くにつれて器具本体（３）が取り付けられる壁（Ｗ１）に近付くように導光体（２１）を配置することにより、踊り場の照度の向上を図ることができる。
【００５８】
本発明の第６の態様に係る非常用照明器具（Ｘ１）は、第３の態様との組合せにより実現され得る。第６の態様に係る非常用照明器具（Ｘ１）において、導光体（２１）は、踊り場（Ｆ１）に近付くにつれ、器具本体（３）が取り付けられる壁（Ｗ１）から離れるように配置されていることが好ましい。
【００５９】
第６の態様に係る非常用照明器具（Ｘ１）は、踊り場に近付くにつれて器具本体（３）が取り付けられる壁（Ｗ１）から離れるように導光体（２１）を配置することにより、階段（特に上りの階段）の照度の向上を図ることができる。
【００６０】
本発明の第７の態様に係る非常用照明器具（Ｘ１）は、第３の態様との組合せにより実現され得る。第７の態様に係る非常用照明器具（Ｘ１）において、第２光源ユニット（２）は、固体発光素子（ＬＥＤ２０）及び導光体（２１）を収容する筐体（２２）を有することが好ましい。導光体（２１）は、導光体（２１）の長手方向の第１端面に固体発光素子（ＬＥＤ２０）から放射される光が入射する入射面（２１０）を有することが好ましい。導光体（２１）は、導光体（２１）の長手方向の第１端面と反対側の第２端面（２１２）から光を出射するように構成されることが好ましい。筐体（２２）の前面に、導光体（２１）が収められる凹所（２２０）が設けられることが好ましい。凹所（２２０）の第２端面（２１２）と対向する側壁（２２１）に、筐体（２２）の前面に向かって下向きに傾斜する傾斜面が形成されていることが好ましい。
【００６１】
第７の態様に係る非常用照明器具（Ｘ１）は、導光体（２１）の第２端面（２１２）から出射する光を凹所（２２０）の傾斜面（側壁２２１）に反射させることにより、踊り場の照度の向上を図ることができる。
【００６２】
本発明の第８の態様に係る非常用照明器具（Ｘ１）は、第１〜第７の態様のいずれか一つとの組合せにより実現され得る。第８の態様に係る非常用照明器具（Ｘ１）において、導光体（２１）は、柱状の導光部（２３）と、板状の導光板（２４）とを有することが好ましい。導光部（２３）は、導光部（２３）の長手方向の一端から入射する光を導光し、かつ、長手方向に沿った側面（出射面２３１）から光を出射させるように構成されていることが好ましい。導光板（２４）は、導光板（２４）の厚み方向と交差する方向の端面（入射面２４０）を導光部（２３）の側面（出射面２３１）と対向させるように配置されていることが好ましい。導光板（２４）は、更に、端面（入射面２４０）から入射する光を導光し、かつ、厚み方向に対向する一方の面（出射面２４１）から光を出射させるように構成されていることが好ましい。
【００６３】
第８の態様に係る非常用照明器具（Ｘ１）は、導光体（２１）の出射面（導光板２４の出射面２４１）の面積を拡大することによって輝度を低下させているので、第２光源ユニット（２）の発光面のまぶしさ（グレア）の抑制を図ることができる。
【００６４】
本発明の第９の態様に係る光源ユニットは、第１〜第８の態様のいずれか一つの非常用照明器具（Ｘ１）が備える光源ユニット（第２光源ユニット２）である。第９の態様に係る光源ユニット（第２光源ユニット２）は、固体発光素子（ＬＥＤ２０）と、導光体（２１）とを有している。導光体（２１）は、固体発光素子（ＬＥＤ２０）から放射される光が入射する入射面（２１０）を有している。導光体（２１）は、入射面（２１０）から入射する光を入射面（２１０）から離れる向きに導光し、かつ、入射面（２１０）から離れる向きに導光する光の一部を導光体（２１）の外に出射させるように構成されている。
【００６５】
第９の態様に係る光源ユニット（第２光源ユニット２）は、柱状の導光体（２１）によって固体発光素子（ＬＥＤ２０）から放射される光の配光を制御しているので、特許文献１記載の従来例に比べて、容易に小型化を図ることができる。
【符号の説明】
【００６６】
Ｘ１  非常用照明器具
１  第１光源ユニット
２  第２光源ユニット（光源ユニット）
３  器具本体
６  電池ユニット（非常用電源）
２０  ＬＥＤ（固体発光素子）
２１  導光体
２３  導光部
２４  導光板
２１０  入射面
２１１  凹部
２１２  第２端面
２３０  入射面
２３１  出射面
２４０  入射面
２４１  出射面
Ｆ１  踊り場
Ｓ１、Ｓ２  階段
Ｗ１  壁
【図１】
2019153396.tif 000003
【図２】
2019153396.tif 000004
【図３】
2019153396.tif 000005
【図４】
2019153396.tif 000006
【図５】
2019153396.tif 000007
【図６】
2019153396.tif 000008
【図７】
2019153396.tif 000009
【図８】
2019153396.tif 000010